(57)【要約】【課題】美容用マッサージ器において、ハンドルの内部に錘を収容するに際して、製造が容易である構造を提供する。【解決手段】本発明は、二股部を有するハンドル７と、二股部に回転可能に支持された二つの回転体２とを備える美容用マッサージ器１である。ハンドル７は、二股部を先端側に有する第１のハンドル部３と、第1のハンドル部３の上に結合される第２のハンドル部６と、第１のハンドル部３の内部に収容される錘部４と、錘部４の上部に配置される第３のハンドル部５とを備える。第２のハンドル部６は、第３のハンドル部５の上面を露出させる開口部６ｃを有している。第２のハンドル部６が、第３のハンドル部５を押えながら、第１のハンドル部３に結合される。【選択図】図２
2020036867.tif 000002
【特許請求の範囲】
【請求項１】
二股部を有するハンドルと、前記二股部に回転可能に支持された二つの回転体とを備える美容用マッサージ器であって、
前記ハンドルは、
前記二股部を先端側に有する第１のハンドル部と、
前記第１のハンドル部の上に結合される第２のハンドル部と、
前記第１のハンドル部の内部に収容される錘部と、
前記錘部の上部に配置される第３のハンドル部とを備え、
前記第２のハンドル部は、前記第３のハンドル部の上面を露出させる開口部を有しており、
前記第２のハンドル部が、前記第３のハンドル部を押えながら、前記第１のハンドル部に結合されていることを特徴とする、美容用マッサージ器。
【請求項２】
二股部を有するハンドルと、前記二股部に回転可能に支持された二つの回転体とを備える美容用マッサージ器であって、
前記ハンドルは、
前記二股部を先端側に有する第１のハンドル部と、
前記第１のハンドル部の上に結合される第２のハンドル部と、
前記第１のハンドル部の内部に収容される錘部とを備え、
前記第２のハンドル部は、前記錘部の上から前記第１のハンドル部に結合されており、
前記第２のハンドル部は、外周を凹み部で囲った形状を有する上面を含むことを特徴とする、美容用マッサージ器。
【請求項３】
二股部を有するハンドルと、前記二股部に回転可能に支持された二つの回転体とを備える美容用マッサージ器であって、
前記ハンドルは、
前記二股部を先端側に有する第１のハンドル部と、
前記第１のハンドル部の上に結合される第２のハンドル部と、
前記第１のハンドル部の内部に収容される錘部と、
前記第２のハンドル部の上から結合される少なくとも１つの化粧カバーとを備え、
前記第２のハンドル部は、前記錘部の上から前記第１のハンドル部に結合されていることを特徴とする、美容用マッサージ器。
【請求項４】
前記第１のハンドル部と前記第２のハンドル部とは、スナップフィッティングによって、結合されていることを特徴とする、請求項１〜３のいずれかに記載の美容用マッサージ器。
【請求項５】
前記錘部の下面には、切り欠き部が形成されており、
前記第１のハンドル部の内部には、前記切り欠き部に対応する突起部が形成されていることを特徴とする、請求項１〜４のいずれかに記載の美容用マッサージ器。
【請求項６】
前記錘部には、穴部が形成されており、
前記第１のハンドル部には、前記穴部に対応する筒部が形成されていることを特徴とする、請求項１〜５のいずれかに記載の美容用マッサージ器。
【請求項７】
前記錘部は、上面の外周上に形成された段部を有しており、
前記第３のハンドル部は、前記段部の形状に合わせた凹み部を有することを特徴とする、請求項１に記載の美容用マッサージ器。
【請求項８】
前記化粧カバーと前記第２のハンドル部とは、スナップフィッティングによって結合されていることを特徴とする、請求項３に記載の美容用マッサージ器。
【発明の詳細な説明】
【技術分野】
【０００１】
本発明は、美容用マッサージ器に関し、より特定的には、ハンドルの先端に回転可能なローラーを有する美容用マッサージ器に関する。
【背景技術】
【０００２】
特許文献１に記載の美容器は、正面視において、ハンドルが上側に膨らむように山状に湾曲しており、ハンドルの先端が二股に分かれており、二股部に一対の回転可能な球体状のローラーを備えている。特許文献１に記載の美容器では、ハンドルを移動させて、一対の球体状のローラーを回転させることで、肌の摘まみ上げを実現している。特許文献１に記載の美容器のハンドル内部には、基材が含まれている。
【０００３】
特許文献２に記載の美容器は、目元や口元などの狭い部分をマッサージするための美容器であり、棒状のハンドルの先端が二股に分かれており、二股部に一対の回転可能な球体状のローラーを備えている。特許文献２に記載の美容器においても、ハンドルを移動させて、一対の球体状のローラーを回転させることで、肌の摘まみ上げを実現している。特許文献２に記載の美容器では、太陽電池パネルに関連する部材を収容するために、ハンドルカバーが取り付けられている。
【先行技術文献】
【特許文献】
【０００４】
【特許文献１】特開２０１３−１０３０８６
【特許文献２】特開２０１５−１８６５４０
【発明の概要】
【発明が解決しようとする課題】
【０００５】
従来のように、ローラーを回転させることによるマッサージによって、美容効果を得ようとする美容用マッサージ器においては、操作のしやすさが重要となる。また、操作がしやすい美容用マッサージ器でありつつ、製造が容易であるとさらに好ましい。
【０００６】
特許文献１に記載の美容器では、上下のハンドルカバーに対して、ネジによって、基材を固定するとされている。しかし、特許文献１においては、上下のハンドルカバーそれぞれをどのように固定するかについて、詳細には開示されていない。
【０００７】
特許文献２に記載の美容器は、ハンドルカバーを、係合爪を用いて、係合溝に係合させることで、ハンドル本体に固定することとしている。しかし、ハンドルカバーは、ハンドル本体の一部に開けられた凹部を覆うものであり、当該凹部の内部に収容できる部材は、太陽電池パネルに関連する部品など、小さな部材に限られる。
【０００８】
美容用マッサージ器において、ハンドルの内部に錘を収容して、ハンドル部分とローラー部分との重さのバランスを調整することで、操作性を向上させることができる。そして、錘を収容する場合、如何にして、製造を容易なものとするかが問題となる。
【０００９】
ところが、特許文献１には、基材をハンドルに収容してネジで固定することまでは記載されているものの、具体的に、上下のハンドルカバーをどのようにして固定するかについては、何ら開示されていない。したがって、特許文献１の記載だけで、製造が容易な美容用マッサージ器を実現することはできない。
【００１０】
特許文献２に記載のハンドルカバーは、太陽電池パネルの部品を、ハンドル本体の一部に収容して、凹部を蓋する程度のものに過ぎず、錘をハンドルに収容するための構造としては、そのまま流用することはできない。
【００１１】
それゆえ、本発明は、美容用マッサージ器において、ハンドルの内部に錘を収容するに際して、製造が容易である構造を提供することを目的とする。
【課題を解決するための手段】
【００１２】
上記課題を解決するために、本発明は、以下のような特徴を有する。本発明は、二股部を有するハンドルと、二股部に回転可能に支持された二つの回転体とを備える美容用マッサージ器である。
【００１３】
ハンドルは、二股部を先端側に有する第１のハンドル部と、第１のハンドル部の上に結合される第２のハンドル部と、第１のハンドル部の内部に収容される錘部と、錘部の上部に配置される第３のハンドル部とを備える。
【００１４】
第２のハンドル部は、第３のハンドル部の上面を露出させる開口部を有している。第２のハンドル部が、第３のハンドル部を押えながら、第１のハンドル部に結合されている。
【００１５】
また、ハンドルは、二股部を先端側に有する第１のハンドル部と、第１のハンドル部の上に結合される第２のハンドル部と、第１のハンドル部の内部に収容される錘部とを備える。
【００１６】
第２のハンドル部は、錘部の上から第１のハンドル部に結合されている。第２のハンドル部は、外周を凹み部で囲った形状を有する上面を含む。
【００１７】
また、ハンドルは、記二股部を先端側に有する第１のハンドル部と、記第１のハンドル部の上に結合される第２のハンドル部と、第１のハンドル部の内部に収容される錘部と、第２のハンドル部の上から結合される少なくとも１つの化粧カバーとを備え、第２のハンドル部は、錘部の上から前記第１のハンドル部に結合されている。化粧カバーと前記第２のハンドル部とは、スナップフィッティングによって結合されている。
【００１８】
第１のハンドル部と第２のハンドル部とは、スナップフィッティングによって、結合されている。
【００１９】
錘部の下面には、切り欠き部が形成されている。第１のハンドル部の内部には、切り欠き部に対応する突起部が形成されている。
【００２０】
錘部には、穴部が形成されている。第１のハンドル部には、穴部に対応する筒部が形成されている。
【００２１】
錘部は、上面の外周上に形成された段部を有している。第３のハンドル部は、段部の形状に合わせた凹み部を有する。
【発明の効果】
【００２２】
本発明によれば、ハンドルの内部に錘部を収容する構造を採用しており、第１のハンドル部を用いて、その内部に錘部を収容し、錘部の表面を、第３のハンドル部で隠しつつ、さらに、第２のハンドル部で、第３のハンドル部を押さえつけて、外れないようにしている。結果、ハンドルの内部に錘部を容易に収容しつつも、デザイン性に優れた美容用マッサージ器を提供することが可能となる。
【００２３】
また、本発明によれば、ハンドルの内部に錘部を収容する構成として、第１のハンドル部を用いて、その内部に錘部を収容し、錘部の表面を第２のハンドル部で隠しつつ、第２のハンドル部を第１のハンドル部に固定するようにしている。そして、第２のハンドル部に、凹み部によって、意匠が施された上面を設けている。結果、ハンドルの内部に錘部を容易に収容しつつも、デザイン性に優れた美容用マッサージ器を提供することが可能となる。
【００２４】
また、本発明によれば、ハンドルの内部に錘部を収容する構成として、第１のハンドル部を用いて、その内部に錘部を収容し、錘部の表面を第のハンドル部で隠しつつ、第２のハンドル部を第１のハンドル部に固定するようにしている。そして、第２のハンドル部に、少なくとも１つの化粧カバーを取り付けている。結果、ハンドルの内部に錘部を容易に収容しつつも、デザイン性に優れた美容用マッサージ器を提供することが可能となる。また、化粧カバーを第２のハンドル部にスナップフィッティングによって結合すれば、製造はさらに容易となる。
【００２５】
第１及び第２のハンドル部をスナップフィッティングによって、結合することで、簡易な構造を用いて、ハンドルを構成することが可能となる。
【００２６】
特に、第３のハンドル部を用いる際には、スナップフィッティングによって、第２のハンドル部が第３のハンドル部を押えるだけでよいので、第３のハンドル部を結合してもよいし、結合しなくてもよい。よって、簡易な構造による美容用マッサージ器が提供可能となる。
【００２７】
錘部の下面の切り欠き部と第１のハンドル部の内部の突起部によって、ハンドル内部での錘部のがたつきが防止される。
【００２８】
錘部に穴部を形成して、第１のハンドル部に筒部を形成することで、錘部を第１のハンドル部にネジ等で固定することが可能となる。
【００２９】
錘部の上面の外周上に段部を形成し、第３のハンドル部に段部の形状に合わせた凹み部を形成しておくことで、第３のハンドル部が錘部からがたつくことを防止できる。
【００３０】
本発明のこれら、及び他の目的、特徴、局面、効果は、添付図面と照合して、以下の詳細な説明から一層明らかになるであろう。
【図面の簡単な説明】
【００３１】
【図１】図１は、第１の実施形態における美容用マッサージ器１の平面図である。
【図２】図２は、美容用マッサージ器１の分解斜視図であって、図１に示す美容用マッサージ器１の斜め上方から見たときの図である。
【図３】図３は、美容用マッサージ器１の分解斜視図であって、図１に示す美容用マッサージ器１の斜め下方から見たときの図である。
【図４】図４は、ハンドル７の長手方向中心断面図である。以下、図１ないし図４を参照しながら、美容用マッサージ器１の構造について説明する。
【図５】図５は、第２の実施形態における美容用マッサージ器１０の分解斜視図である。
【図６】図６は、第２の実施形態における美容用マッサージ器１０の分解斜視図である。
【図７】図７は、ハンドル７の長手方向中心断面図である。
【図８】図８は、第３の実施形態における美容用マッサージ器１１の分解斜視図である。
【発明を実施するための形態】
【００３２】
（第１の実施形態）
図１は、第１の実施形態における美容用マッサージ器１の平面図である。図２は、美容用マッサージ器１の分解斜視図であって、図１に示す美容用マッサージ器１の斜め上方から見たときの図である。図３は、美容用マッサージ器１の分解斜視図であって、図１に示す美容用マッサージ器１の斜め下方から見たときの図である。図４は、ハンドル７の長手方向中心断面図である。以下、図１ないし図４を参照しながら、美容用マッサージ器１の構造について説明する。
【００３３】
図１に示すように、美容用マッサージ器１は、外観上は、一端側に二股部３ｅを有する第１のハンドル部３と、第１のハンドル部３の二股部３ｅに回転可能に支持された一対の回転体２，２と、第１のハンドル部３の上に設けられた第２のハンドル部６と、第２のハンドル部６の上に設けられた第３のハンドル部５とを備える。各回転体２は、内部に回転軸（図示せず）を貫通させている貫通構造であり、回転軸の先端に回転軸用キャップ２ａを有している。
【００３４】
図２ないし図４に示すように、第１のハンドル部３、第２のハンドル部６、及び第３のハンドル部５は、３つのパーツに分かれた構造となっている。そして、第１のハンドル部３と第３のハンドル部５の間には、錘部４が収容される構造となっている。
【００３５】
第１のハンドル部３の内部の側面部分には、係止爪３ａが設けられている。たとえば、係止爪３ａは、断面が三角形状である。ここでは、当該側面部分の両側に、二つの係止爪３ａが設けられているとしているが、数、形状及び位置は、特に限定されない。なお、係止爪３ａは、弾性変形してもよい。
【００３６】
第１のハンドル部３の二股部３ｅ側の先端部分及び基端部分には、それぞれ、係止爪３ｂ，３ｂが設けられている。たとえば、係止爪３ｂは、断面が三角形状である。ここでは、先端部分及び基端部分の両側に、二つの係止爪３ｂが設けられているとしているが、数、形状及び位置は、特に限定されない。なお、係止爪３ｂは、弾性変形してもよい。
【００３７】
第１のハンドル部３は、錘部４が収容できるように、内側の全体が、凹んだ形状を有しているが、その凹んだ部分には、二つの円筒部３ｃと、３つの突起部３ｄが設けられている。なお、円筒部３ｃ及び突起部３ｄの数、形状及び位置は、特に限定されない。なお、円筒部３ｃは、筒状の筒部であればよく、円筒に限らず、多角柱状でもよい。
【００３８】
錘部４は、美容用マッサージ器１の持ち手部分の重さを調整するための錘であり、その重さが適宜調整されている。錘部４は、側面の二つの凹み部４ａと、上面の外周上に形成された段部４ｂと、胴部に貫通した二つの穴部４ｃと、下面の３つの切り欠き部４ｄと有する。図４に示すように、穴部４ｃに、円筒部３ｃが挿入される。切り欠き部４ｄに、突起部３ｄが差し込まれる。穴部４ｃは、ザグリ穴であり、穴部４ｃから円筒部３ｃにビスが螺合されて、錘部４が第１のハンドル部３内をずれないように固定される。突起３ｄ及び切り欠き部４ｄによって、錘部４が第１のハンドル部３でガタつくのが防止される。
【００３９】
第３のハンドル部５は、下部に、錘部４の段部４ｂの形状に合わせた凹み部５ｂを有している。また、第３のハンドル部５は、側面に二つの凹み部５ａを有している。さらに、第３のハンドル部５の上面５ｃは、その一部が、第２のハンドル部６の開口部６ｂから露出する構造となっている。
【００４０】
第２のハンドル部６は、側面に弾性変形可能な二つの係止片６ａと、先端部及び基端部に弾性変形可能な二つの係止片６ｂとを有している。係止片６ａ，６ｂは、それぞれ、係止爪３ａ，３ｂの係合可能な穴を有している。
【００４１】
第１のハンドル部３、第２のハンドル部６、第３のハンドル部５、及び錘部４によって、美容用マッサージ器１のハンドル７が形成される。
【００４２】
第１のハンドル部３の上に、錘部４が取り付けられる。錘部４の上に、第３のハンドル部５が被さられる。そして、第３のハンドルの部５の上から、第２のハンドル部６が被せられる。その際、係止片６ａが、凹み部５ａ及び４ａを通過して、係止爪３ａに係止される。また、係止片６ｂが、係止爪３ｂに係止される。これらの係止は、いわゆるスナップ結合やスナップフィッティングと呼ばれる周知技術であり、係止構造としては、あらゆる周知の構造を使用可能であり、図示した例に限定されるものではない。
【００４３】
第２のハンドル部６が第１のハンドル部３に係合することで、第３のハンドル部５の上面５ｃの一部が開口部６ｂから露出して、第３のハンドル部５が、第２のハンドル部６から押さえつけられるようになる。これによって、第３のハンドル部５がハンドル７から外れなくなる。
【００４４】
このように、第１の実施形態によれば、ハンドル７の内部に錘部４を収容する構造として、第１のハンドル部３を用いて、その内部に錘部４を収容し、錘部４の表面を、第３のハンドル部５で隠しつつ、さらに、第２のハンドル部６で、第３のハンドル部５を押さえつけて、外れないようにしている。結果、ハンドルの内部に錘部を容易に収容しつつも、デザイン性に優れた美容用マッサージ器１を提供することが可能となる。
【００４５】
（第２の実施形態）
第２の実施形態において、外観上は、図１の美容用マッサージ器１と同様であるので、図１を第２の実施形態においても援用することとする。
【００４６】
図５及び図６は、第２の実施形態における美容用マッサージ器１０の分解斜視図である。図７は、ハンドル７の長手方向中心断面図である。以下、図５ないし図７を参照しながら、第２の実施形態における美容用マッサージ器１０の構造について、第１の実施形態と異なる点を中心に説明する。なお、第１の実施形態と同一の参照符号を付した箇所については、同一の機能を有するものであるとして、適宜、説明を省略する。
【００４７】
第２の実施形態における第１のハンドル部３の構造は、第１の実施形態と同様である。
【００４８】
第２の実施形態における錘部４は、第１の実施形態の錘部４に加えて、上面にも、３つの切り欠き部４ｅを有する。なお、切り欠き部４ｅの数、形状及び位置は、特に限定されない。
【００４９】
図５ないし図７に示すように、第２の実施形態では、第３のハンドル部５が用いられず、第２のハンドル部６の上面６ｅが、第３のハンドル部５に相当する意匠を構成している。上面６ｅは、第２のハンドル部６において、予め一体的に形成されている。第２のハンドル部６において、上面６ｅは、外周に凹み部６ｅ−１を有しており、凹み部６ｅ−１の存在によって、あたかも第２のハンドル部６にカバーや蓋のような構造が存在するかのような外観的印象を与えている。
【００５０】
第２のハンドル部６の内側には、錘部４に合せて、凹み部６ｆが形成されている。また、凹み部６ｆには、切り欠き部４ｅに合せて、突起部６ｄが形成されている。
【００５１】
錘部４が第１のハンドル部３の上に取り付けられて、ビスで固定された後、錘部４の上から、第２のハンドル部６を被せて、係止片６ａを係止爪３ａにはめ込み、係止片６ｂを係止爪３ｂにはめ込む。これによって、第１のハンドル部３の内部に錘部４が収容されつつ、錘部４の外周を第２のハンドル部６が覆って、第１のハンドル部３に第２のハンドル部６が固定されることとなる。
【００５２】
このように、第２の実施形態によれば、ハンドル７の内部に錘部４を収容する構成として、第１のハンドル部３を用いて、その内部に錘部４を収容し、錘部４の表面を第２のハンドル部６で隠しつつ、第２のハンドル部６を第１のハンドル部３に固定するようにしている。そして、第２のハンドル部６に、凹み部６ｅ−１によって、意匠が施された上面６ｅを設けている。結果、ハンドルの内部に錘部を容易に収容しつつも、デザイン性に優れた美容用マッサージ器１０を提供することが可能となる。
【００５３】
（第３の実施形態）
図８は、本発明の第３の実施形態に係る美容用マッサージ器１１の分解斜視図である。図８において、第１及び第２の実施形態と同様の機能を有する部分については、同一の参照符号を付して、説明を省略する。
【００５４】
美容用マッサージ器１１のハンドル７は、第１のハンドル部３、第２のハンドル部６、化粧カバー８ａ及び８ｂによる３つのパーツに分かれた構造となっている。そして、第１のハンドル部３に錘部４が収容され、錘部４の上から、第２のハンドル部６が第１のハンドル部３に取り付けられる構造となっている。
【００５５】
第１のハンドル部に設けられた少なくとも１つの円筒部３ｃに、錘部４に設けられた穴部４ｃが通される。なお、第１及び第２の実施形態と同様、第３の実施形態においても、突起部３ｄ及び切り欠き部４ｄが、第１のハンドル部３及び錘部４に設けられてもよい。
【００５６】
各穴部４ｃに対応する穴部６ｇが、第２のハンドル部６に設けられている。穴部６ｇ、穴部４ｃ、及び円筒部３ｃに、ボルトやビス等が螺合されることで、第１のハンドル部３に、錘部４及び第２のハンドル部６が取り付けられる。なお、第２のハンドル部６が第１のハンドル部３にスナップフィッティングや接着材によって結合されてもよい。
【００５７】
第２の実施形態では、凹み部６ｅ−１によって、上面６ｅがあたかも第２のハンドル部６におけるカバーや蓋のような外観的印象を与えるようにしたが、第３の実施形態では、第２のハンドル部６とは別体の少なくとも１つの化粧カバーを第２のハンドル部６に取り付けることとしている。
【００５８】
具体的には、図８に示すように、２つの化粧カバー８ａ，８ｂを、第２のハンドル部６に形成された凹み部６ｊに差し込むようにすることで、ハンドル７にカバーや蓋が存在するかのような外観的印象を与えるように構成されている。化粧カバー８ａ，８ｂを、第２のハンドル部６に結合させるために、接着材などを用いてもよいが、ここでは、スナップフィッティング構造を用いることとしている。
【００５９】
化粧カバー８ａ，８ｂに設けられた突起部８ｃは、第２のハンドル部６の凹み部６ｈに差し込むことができる。化粧カバー８ａ，８ｂに設けられた係止爪８ｄは、弾性的に変形することが可能なカンチレバー（キャンチレバー）タイプのスナップフィット構造を有しており、第２のハンドル部６の凹み部６ｉに係合することができる。このようなスナップフィッティング構造によって、第２のハンドル部６に化粧カバー８ａ，８ｃが結合される。
【００６０】
このように、第３の実施形態によれば、ハンドル７の内部に錘部４を収容する構成として、第１のハンドル部３を用いて、その内部に錘部４を収容し、錘部４の表面を第２のハンドル部６で隠しつつ、第２のハンドル部６を第１のハンドル部３に固定するようにしている。そして、第２のハンドル部６に、少なくとも１つの化粧カバーを取り付けている。結果、ハンドルの内部に錘部を容易に収容しつつも、デザイン性に優れた美容用マッサージ器１１を提供することが可能となる。
【００６１】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。本明細書に開示されている発明の構成要件は、それぞれ独立に単独した発明として成立するものとする。各構成要件をあらゆる組み合わせ方法で組み合わせた発明も、本発明に含まれることとする。
【産業上の利用可能性】
【００６２】
本発明は、美容用マッサージ器であり、産業上利用可能である。
【符号の説明】
【００６３】
１，１０，１１  美容用マッサージ器
２  回転体
２ａ  回転軸用キャップ
３  第１のハンドル部
６  第２のハンドル部
５  第３のハンドル部
３ａ，３ｂ  係止爪
３ｃ  円筒部
３ｄ  突起部
３ｅ  二股部
４  錘部
４ａ  凹み部
４ｂ  段部
４ｃ  穴部
４ｄ，４ｅ  切り欠き部
５ａ，５ｂ  凹み部
５ｃ  上面
６ａ，６ｂ  係止片
６ｃ  開口部
６ｄ  突起部
６ｅ  上面
６ｅ−１  凹み部
６ｆ  凹み部
６ｇ  穴部
６ｈ，６ｉ  凹み部
６ｊ  凹み部
７  ハンドル
８ａ，８ｂ  化粧カバー
８ｃ  突起部
８ｄ  係止爪
【図１】
2020036867.tif 000003
【図２】
2020036867.tif 000004
【図３】
2020036867.tif 000005
【図４】
2020036867.tif 000006
【図５】
2020036867.tif 000007
【図６】
2020036867.tif 000008
【図７】
2020036867.tif 000009
【図８】
2020036867.tif 000010